(57)【要約】【課題】簡易な構成で安価に、陳列棚の上部に収納庫を設けることができる商品陳列什器を提供する。【解決手段】本発明の商品陳列什器１は、支柱３と、支柱３に着脱自在に取付けた複数の棚板５と、支柱３の上端部に着脱自在に設けたパラペット７とを備え、パラペット７は、棚板５よりも前方に突出して設けてあり、前端部に設けた照明具２３と、後端部に設けた支柱との係合部１９と、前後の中間部に設けた開閉扉１７とを有し、開閉扉１７は、上端部１７ａが左右方向の水平軸を中心に回動自在であり、少なくとも最上位置の棚板５ａの前方に位置している。【選択図】図１
2010063738.tif 000002
【特許請求の範囲】
【請求項１】
支柱と、支柱に着脱自在に取付けた複数の棚板と、支柱の上端部に着脱自在に設けたパラペットとを備え、パラペットは、棚板よりも前方に突出して設けてあり、前端部に設けた照明具と、後端部に設けた支柱との係合部と、前後の中間部に設けた開閉扉とを有し、開閉扉は、上端部が左右方向の水平軸を中心に回動自在であり、少なくとも最上位置の棚板の前方に位置していることを特徴とする商品陳列什器。
【請求項２】
開閉扉は開閉扉の後側に位置する棚板に対向し、棚板をパラペットの底板としてあることを特徴とする請求項１に記載の商品陳列什器。
【発明の詳細な説明】
【技術分野】
【０００１】
本発明は、パラペットを有する商品陳列什器に関する。
【背景技術】
【０００２】
特許文献１には、ケースの上部に照明具を設けたショーケースにおいて、上部の収納庫を引き戸により開閉自在にしたことが開示されている。
【０００３】
【特許文献１】特開平７−３０８２４６号公報
【発明の開示】
【発明が解決しようとする課題】
【０００４】
一方、支柱に棚板を着脱自在に設けると共に支柱の上端部にパラペットを設けた商品陳列什器において、陳列棚の上部に収納庫を設けたいという要求がある。
しかし、特許文献１の技術は、収納庫内を囲む壁を設けていると共に引戸用の枠を設ける必要があるので、構成が複雑になると共にコスト高になるという問題がある。
そこで、本発明は、簡易な構成で安価に、陳列棚の上部に収納庫を設けることができる商品陳列什器の提供を目的とする。
【課題を解決するための手段】
【０００５】
請求項１に記載の発明は、支柱と、支柱に着脱自在に取付けた複数の棚板と、支柱の上端部に着脱自在に設けたパラペットとを備え、パラペットは、棚板よりも前方に突出して設けてあり、前端部に設けた照明具と、後端部に設けた支柱との係合部と、前後の中間部に設けた開閉扉とを有し、開閉扉は、上端部が左右方向の水平軸を中心に回動自在であり、少なくとも最上位置の棚板の前方に位置していることを特徴とする。
【０００６】
請求項２に記載の発明は、請求項１に記載の発明において、開閉扉は開閉扉の後側に位置する棚板に対向し、棚板をパラペットの底板としてあることを特徴とする。
【発明の効果】
【０００７】
請求項１に記載の発明によれば、少なくとも最上位置にある棚板の上部空間を開閉扉で正面から隠しているので、開閉扉の後側を収納庫として利用することができる。
したがって、商品陳列什器に収納庫を囲む壁を別途設けないで済むと共に開閉扉用の枠を設けないで済むので、陳列棚の上部に収納庫を簡易な構成で安価に設けることができる。
パラペットに開閉扉を設けているので、パラペットを支柱に取付けるだけで、開閉扉を設置できるから、施工が容易である。
パラペットの前端部に照明具を設け、開閉扉はパラペットの前後方向中間部に設けているので、開閉扉がパラペットの下方にある棚板上の商品を照らす邪魔にならない。
パラペットは後端部に支柱との係合部を設けて支柱に着脱自在としてあるので、パラペットのない既存の商品陳列什器の支柱に後付したり、既存のパラペットが取付けてある場合には本発明に係るパラペットとの交換が容易にできる。
【０００８】
請求項２に記載の発明によれば、請求項１に記載の効果を奏すると共に、開閉扉に当接している棚板がパラペットの底板を兼ねることができるから、パラペットの底板が不要なので部品点数を少なくできる。
【発明を実施するための最良の形態】
【０００９】
以下に、添付図面を参照して本発明の実施の形態を説明する。図１は図２（ａ）に示すＡ―Ａ断面図であり、図２は本実施の形態に係る商品陳列什器の全体図であり、（ａ）は正面図、（ｂ）は側面図である。
図２に示すように、本実施の形態に係る商品陳列什器１は、左右に複数並べて構成しており、各商品陳列什器１は、左右の支柱３と、支柱３、３間に設けた複数の棚板５と、支柱３、３の上端部間に設けたパラペット７とを備えている。
図２（ａ）に示すように、各支柱３には、上下方向に間隔をあけてスリット孔１１が形成されており、図１に示すように、このスリット孔１１に棚板ブラケット１３の係合部１３ａを係合するようになっている。
図１に示すように、棚板５は支柱３の上下方向に間隔をあけて複数設けてあり、各棚板５は棚板ブラケット１３に載置してある。
パラペット７は、支柱３の上端部に着脱自在に取付けてあり、支柱３から棚板５よりも前方に突出した左右の側板１５、１５と、天板１６と、前端部に設けた照明具２３と、開閉扉１７とを有している。
左右の側板１５、１５の前端にはパネル２１が取付けてあり、パネル２１は、商品表示板であり、棚板５に陳列する商品の種類等や商品に関する事項を表示するものである。
左右の側板１５の後端部には係合部１９が設けてあり、係合部１９が支柱３のスリット孔１１に係合することにより、支柱３に取付けてある。
照明具２３は左右の側板１５間に設けてあり、パラペット７の前端部で且つパネル２１の後側に設けてある。照明具２３は、各棚板５の前端６よりも前側に位置しており、パネル２１の後面と、パラペット７の下方にある棚板５上の商品及び閉じ位置にある開閉扉１７の前面を照らしている。
開閉扉１７は、上端部１７ａが左右方向の水平軸１８を中心に回動自在にして左右の側板１５、１５間に取付けてある。開閉扉１７の上端部１７ａと水平軸１８との間にはトルクヒンジ２０が設けてあり、開閉扉１７を任意の角度で保持できるようになっている。
尚、開閉扉１７の前面は、商品に関する事項、例えば商品の種類や効能等を記載した表品表示面になっている。
本実施の形態では、開閉扉１７は、最上の棚板５ａの前方に位置すると共に開閉扉１７の下端部１７ｂが最上から２番目の棚板５ｂの前端６に対向しており、開閉扉１７の後側にある棚板５ａ、５ｂの上部空間を正面から隠すことにより収納庫２５を形成していると共に棚板５ｂがパラペット７の底板を兼ねている。
尚、図２（ａ）に示すように、左右にならべた商品陳列什器１のうちの左側端と右側端にある支柱３ａ、３ｂには、図２（ｂ）に示すように、その上端部に側面パネル２７が設けてあり、収納庫２５の左右端を閉じている。
また、商品陳列什器１の下部には、支柱３、３間に下部収納庫２９が設けてある。この下部収納庫２９は、扉３０、側板３１と、底板３３と、背面板３５とでボックス状に形成してある。扉３０は上端が左右の水平軸を中心にして回動して開閉するものである。
【００１０】
次に、本実施の形態に係る商品陳列什器１の組立て、作用及び効果について説明する。商品陳列什器１の組立ては、左右の支柱３、３間において、支柱３の下部に下部収納庫２９を取付け、支柱３、３には棚板ブラケット１３を上下に所定間隔をあけて取付けて、棚板ブラケット１３に棚板５を載置する。棚板ブラケット１３の取付けは後端部に設けてある係合部１３ａを支柱３のスリット孔１１に係合しておこなう。
次に、図１に示すように、支柱３の上端部にパラペット７を取付ける。パラペット７の取り付けは、側板１５の後端に形成してある係合部１９を棚板ブラケット１３と同様にして、支柱のスリット孔１１に係合する。
本実施の形態によれば、少なくとも最上位置にある棚板５ａの上部空間を開閉扉１７で正面から隠しているので、開閉扉１７の後側を収納庫２５として利用することができる。
したがって、商品陳列什器１に収納庫用の壁を別途設けないで済むと共に開閉扉１７用の枠を設ける必要がないので、収納庫２５を簡易な構成で安価に設けることができる。
パラペット７に開閉扉１７を設けているので、パラペット７を支柱３に取付けるだけで、開閉扉１７を設置できるから、施工が容易である。
パラペット７の前端部に照明具２３を設け、開閉扉１７はパラペット７の前後方向中間部に設けているので、開閉扉１７がパラペット７の下方にある棚板上の商品を照らす邪魔にならない。
開閉扉１７の下端部１７ｂが棚板５ｂの前端６に対向しているので、その棚板５ｂがパラペット７の底板を兼ねることができるから、パラペット７の底板が不要なので部品点数を少なくできる。
支柱３のスリット孔１１に側板１５の後端に設けてある係合部１９を係合してパラペット７を支柱３に取付けることができるので、パラペット７の取付けが容易であると共に、既存の商品陳列什器にパラペット７を簡単に後付けしたり、既存のパラペットが取付けてある場合には本発明に係るパラペット７との交換が容易にできる。
照明具２３は、支柱３の上端から前方で、パネル２１と開閉扉１７の上端部１７ａとの間に設けていると共に開閉扉１７は上端１７ａを前側にして下端１７ｂを後方にして傾斜しているので、開閉扉１７の前面を照らすことができる。
【００１１】
本発明は、上述した実施の形態に限らず、本発明の要旨を逸脱しない範囲で種々変形可能である。
例えば、開閉扉１７の下端部１７ｂは、最上位置にある棚板５ａに対向する構成として、最上位置にある棚板５ａがパラペット７の底板を兼ねるものであっても良いし、最上位置から３番目にある棚板５に対向して最上位置から３番目にある棚板５がパラペット７の底板を兼ねるものであっても良い。
また、開閉扉１７の下端部１７ｂは棚板５、５間に位置するものであっても良い。
商品陳列什器１は左右に複数並べて用いることに限らず、商品陳列什器１を単体で用いても良い。商品陳列什器１を単体で用いる場合にはその左右の支柱３、３の各々に側面パネル２７を取付ける。
【図面の簡単な説明】
【００１２】
【図１】図２（ａ）に示すＡ−Ａ断面図である。
【図２】本実施の形態に係る商品陳列什器の全体図であり、（ａ）は正面図、（ｂ）は側面図である。
【符号の説明】
【００１３】
１      商品陳列什器
３      支柱
５      棚板
５ａ    最上位置の棚板
５ｂ    開閉扉に対向する棚板
７      パラペット
１７    開閉扉
１７ａ  上端部
１８    水平軸
１９    係合部
２３    照明具
【図１】
2010063738.tif 000003
【図２】
2010063738.tif 000004